【手続補正書】
【提出日】平成16年6月8日(2004.6.8)
【手続補正１】
【補正対象書類名】明細書
【補正対象項目名】発明の名称
【補正方法】変更
【補正の内容】
【発明の名称】情報処理装置、情報処理方法及び記憶媒体
【手続補正２】
【補正対象書類名】明細書
【補正対象項目名】特許請求の範囲
【補正方法】変更
【補正の内容】
【特許請求の範囲】
【請求項１】
予め取得された画像情報を再生処理する情報処理装置であって、
前記画像情報の取得日付を示す取得日付情報と現在の日付を示す情報との差分情報を生成する差分情報生成手段と、
前記画像情報に対して、前記差分情報生成手段で得られた前記差分情報を付加して出力する出力手段とを備えることを特徴とする情報処理装置。
【請求項２】
前記差分情報生成手段は前記差分の情報を文字列として生成することを特徴とする請求項１に記載の情報処理装置。
【請求項３】
前記出力手段は前記画像情報に対して前記差分の情報を付加して表示装置に出力することを特徴とする請求項１に記載の情報処理装置。
【請求項４】
前記出力手段は、前記画像情報を出力する前に前記差分の情報を出力することを特徴とする請求項１に記載の情報処理装置。
【請求項５】
前記取得日付情報は前記画像情報が撮影された年月日を示し、前記差分情報生成手段は前記取得日付情報の年月日と現在の年月日との差分を求めることを特徴とする請求項１に記載の情報処理装置。
【請求項６】
予め取得された画像情報を再生処理する情報処理装置であって、
第１の前記画像情報の取得日付と、前記第１の画像情報に引き続いて再生される第２の前記画像情報の取得日付との差分情報を生成する差分情報生成手段と、
前記第１の画像情報、第２の画像情報、及び前記差分情報を出力する出力手段とを備え、
前記出力手段は、前記第１の画像情報の出力から第２の画像情報の出力への切り替わりに応じて、前記差分情報を出力することを特徴とする情報処理装置。
【請求項７】
前記出力手段は、前記第１の画像情報から前記第２の画像情報に切り替わる間の所定期間、前記差分情報を出力することを特徴とする請求項６に記載の情報処理装置。
【請求項８】
前記取得日付は、前記画像情報の撮影日付を含むことを特徴とする請求項６に記載の情報処理装置。
【請求項９】
前記差分情報生成手段は、前記日付情報を文字列として生成することを特徴とする請求項６に記載の情報処理装置。
【請求項１０】
前記出力手段は表示装置を含むことを特徴とする請求項６に記載の情報処理装置。
【請求項１１】
前記出力手段は、前記第２の画像情報に対して前記差分情報を付加して出力することを特徴とする請求項６に記載の情報処理装置。
【請求項１２】
前記差分情報生成手段は、前記画像情報が撮影された年月日を示す前記取得日付情報に基づき、前記第１の画像情報の撮影年月日と前記第２の画像情報の撮影年月日との差分を求めることを特徴とする請求項６に記載の情報処理装置。
【請求項１３】
前記差分情報生成手段は、前記差分情報を文字列として生成し、前記第１の画像情報の取得日付と前記第２の画像情報の取得日付との差が１年を超える場合には年を単位とする前記文字列を生成し、前記差が１年以下で且つ１ヶ月以上の場合には月を単位とする前記文字列を生成し、前記差が１ヶ月未満の場合には日を単位とする前記文字列を生成することを特徴とする請求項１２に記載の情報処理装置。
【請求項１４】
予め取得された画像情報を再生処理する情報処理方法であって、
前記画像情報の取得日付を示す取得日付情報と現在の日付を示す情報との差分情報を生成し、前記画像情報に対して、前記差分情報を付加して出力することを特徴とする情報処理方法。
【請求項１５】
前記取得日付情報は前記画像情報が撮影された年月日を示し、前記取得日付情報の年月日と現在の年月日との差分を前記差分情報として生成することを特徴とする請求項１４に記載の情報処理方法。
【請求項１６】
前記画像情報の取得日付と現在の日付との差が１年を超える場合には年を単位とする文字列を前記差分情報として生成し、前記差が１年以下で且つ１ヶ月以上の場合には月を単位とする前記文字列を生成し、前記差が１ヶ月未満の場合には日を単位とする前記文字列を生成することを特徴とする請求項１５に記載の情報処理方法。
【請求項１７】
予め取得された画像情報を再生処理する情報処理方法であって、
第１の前記画像情報の取得日付と、前記第１の画像情報に引き続いて再生される第２の前記画像情報の取得日付との差分情報を生成する差分情報生成ステップと、
前記第１の画像情報、第２の画像情報、及び前記差分情報を出力する出力ステップとを備え、
前記出力ステップは、前記第１の画像情報の出力から第２の画像情報の出力への切り替わりに応じて、前記差分情報を出力することを特徴とする情報処理方法。
【請求項１８】
前記差分情報生成ステップは、前記画像情報が撮影された年月日を示す前記取得日付情報に基づき、前記第１の画像情報の撮影年月日と前記第２の画像情報の撮影年月日との差分を求めることを特徴とする請求項１７に記載の情報処理方法。
【請求項１９】
前記差分情報生成ステップは前記差分情報を文字列として生成し、前記第１の画像情報の取得日付と前記第２の画像情報の取得日付との差が１年を超える場合には年を単位とする前記文字列を生成し、前記差が１年以下で且つ１ヶ月以上の場合には月を単位とする前記文字列を生成し、前記差が１ヶ月未満の場合には日を単位とする前記文字列を生成することを特徴とする請求項１８に記載の情報処理方法。
【請求項２０】
請求項１〜１３の何れか１項に記載の情報処理装置の機能をコンピュータに実現させるためのプログラムを記録したコンピュータ読み取り可能な記憶媒体。
【請求項２１】
請求項１４〜１９の何れか１項に記載の情報処理方法をコンピュータに実現させるためのプログラムを記録したコンピュータ読み取り可能な記憶媒体。
【請求項２２】
記録媒体から画像信号を再生する情報処理装置であって、
前記画像信号の取得日付と所定の日付との差分を検出し、この差分の量を示す表示情報を生成する表示情報生成手段と、
前記再生された画像信号と前記表示情報とを表示装置に出力する出力手段とを備え、
前記表示情報生成手段は前記差分の量に応じて前記表示情報の表示単位を変更することを特徴とする情報処理装置。
【請求項２３】
前記表示情報生成手段は、前記差分の量が所定量を超える場合に第１の表示単位とし、前記所定量以下の場合に第２の表示単位とすることを特徴とする請求項２２に記載の情報処理装置。
【請求項２４】
前記表示情報生成手段は、前記画像信号の取得日付と前記所定の日付との差が１年を超える場合には年を単位とし、前記差が１年以下で且つ１ヶ月以上の場合には月を単位とすることを特徴とする請求項２３に記載の情報処理装置。
【請求項２５】
前記所定の日付は現在の日付であることを特徴とする請求項２２に記載の情報処理装置。
【請求項２６】
前記所定の日付は、直前に再生された前記画像信号の取得日付であることを特徴とする請求項２２に記載の情報処理装置。
【手続補正３】
【補正対象書類名】明細書
【補正対象項目名】０００１
【補正方法】変更
【補正の内容】
【０００１】
【発明の属する技術分野】
本発明は、例えば、画像及び当該画像に関する情報等を再生する装置或いはシステムに用いられる、情報処理装置、情報処理方法及びそれを実施するためのプログラムを記憶したコンピュータ読出可能な記憶媒体に関するものである。
【手続補正４】
【補正対象書類名】明細書
【補正対象項目名】０００６
【補正方法】変更
【補正の内容】
【０００６】
そこで、本発明は、上記の欠点を除去するために成されたもので、撮影画像等の情報をユーザが容易に把握することができる、情報処理装置、情報処理方法及びそれを実施するためのプログラムを記憶したコンピュータ読出可能な記憶媒体を提供することを目的とする。
【手続補正５】
【補正対象書類名】明細書
【補正対象項目名】０００７
【補正方法】変更
【補正の内容】
【０００７】
【課題を解決するための手段】
斯かる目的下において、第１の発明に係る情報処理装置は、予め取得された画像情報を再生処理する情報処理装置であって、前記画像情報の取得日付を示す取得日付情報と現在の日付を示す情報との差分情報を生成する差分情報生成手段と、前記画像情報に対して、前記差分情報生成手段で得られた前記差分情報を付加して出力する出力手段とを備えることを特徴とする。
【手続補正６】
【補正対象書類名】明細書
【補正対象項目名】０００８
【補正方法】変更
【補正の内容】
【０００８】
第２の発明に係る情報処理装置は、上記第１の発明において、前記差分情報生成手段は前記差分の情報を文字列として生成することを特徴とする。
【手続補正７】
【補正対象書類名】明細書
【補正対象項目名】０００９
【補正方法】変更
【補正の内容】
【０００９】
第３の発明に係る情報処理装置は、上記第１の発明において、前記出力手段は前記画像情報に対して前記差分の情報を付加して表示装置に出力することを特徴とする。
【手続補正８】
【補正対象書類名】明細書
【補正対象項目名】００１０
【補正方法】変更
【補正の内容】
【００１０】
第４の発明に係る情報処理装置は、上記第１の発明において、前記出力手段は、前記画像情報を出力する前に前記差分の情報を出力することを特徴とする。
【手続補正９】
【補正対象書類名】明細書
【補正対象項目名】００１１
【補正方法】変更
【補正の内容】
【００１１】
第５の発明に係る情報処理装置は、上記第１の発明において、前記取得日付情報は前記画像情報が撮影された年月日を示し、前記差分情報生成手段は前記取得日付情報の年月日と現在の年月日との差分を求めることを特徴とする。
【手続補正１０】
【補正対象書類名】明細書
【補正対象項目名】００１２
【補正方法】変更
【補正の内容】
【００１２】
第６の発明に係る情報処理装置は、予め取得された画像情報を再生処理する情報処理装置であって、第１の前記画像情報の取得日付と、前記第１の画像情報に引き続いて再生される第２の前記画像情報の取得日付との差分情報を生成する差分情報生成手段と、前記第１の画像情報、第２の画像情報、及び前記差分情報を出力する出力手段とを備え、前記出力手段は、前記第１の画像情報の出力から第２の画像情報の出力への切り替わりに応じて、前記差分情報を出力することを特徴とする。
【手続補正１１】
【補正対象書類名】明細書
【補正対象項目名】００１３
【補正方法】変更
【補正の内容】
【００１３】
第７の発明に係る情報処理装置は、上記第６の発明において、前記出力手段は、前記第１の画像情報から前記第２の画像情報に切り替わる間の所定期間、前記差分情報を出力することを特徴とする。
【手続補正１２】
【補正対象書類名】明細書
【補正対象項目名】００１４
【補正方法】変更
【補正の内容】
【００１４】
第８の発明に係る情報処理装置は、上記第６の発明において、前記取得日付は、前記画像情報の撮影日付を含むことを特徴とする。
【手続補正１３】
【補正対象書類名】明細書
【補正対象項目名】００１５
【補正方法】変更
【補正の内容】
【００１５】
第９の発明に係る情報処理装置は、上記第６の発明において、前記差分情報生成手段は、前記日付情報を文字列として生成することを特徴とする。
【手続補正１４】
【補正対象書類名】明細書
【補正対象項目名】００１６
【補正方法】変更
【補正の内容】
【００１６】
第１０の発明に係る情報処理装置は、上記第６の発明において、前記出力手段は表示装置を含むことを特徴とする。
【手続補正１５】
【補正対象書類名】明細書
【補正対象項目名】００１７
【補正方法】変更
【補正の内容】
【００１７】
第１１の発明に係る情報処理装置は、上記第６の発明において、前記出力手段は、前記第２の画像情報に対して前記差分情報を付加して出力することを特徴とする。
【手続補正１６】
【補正対象書類名】明細書
【補正対象項目名】００１８
【補正方法】変更
【補正の内容】
【００１８】
第１２の発明に係る情報処理装置は、上記第６の発明において、前記差分情報生成手段は、前記画像情報が撮影された年月日を示す前記取得日付情報に基づき、前記第１の画像情報の撮影年月日と前記第２の画像情報の撮影年月日との差分を求めることを特徴とする。
【手続補正１７】
【補正対象書類名】明細書
【補正対象項目名】００１９
【補正方法】変更
【補正の内容】
【００１９】
第１３の発明に係る情報処理装置は、上記第１２の発明において、前記差分情報生成手段は、前記差分情報を文字列として生成し、前記第１の画像情報の取得日付と前記第２の画像情報の取得日付との差が１年を超える場合には年を単位とする前記文字列を生成し、前記差が１年以下で且つ１ヶ月以上の場合には月を単位とする前記文字列を生成し、前記差が１ヶ月未満の場合には日を単位とする前記文字列を生成することを特徴とする。
【手続補正１８】
【補正対象書類名】明細書
【補正対象項目名】００２０
【補正方法】変更
【補正の内容】
【００２０】
第１４の発明に係る情報処理方法は、予め取得された画像情報を再生処理する情報処理方法であって、前記画像情報の取得日付を示す取得日付情報と現在の日付を示す情報との差分情報を生成し、前記画像情報に対して、前記差分情報を付加して出力することを特徴とする。
【手続補正１９】
【補正対象書類名】明細書
【補正対象項目名】００２１
【補正方法】変更
【補正の内容】
【００２１】
第１５の発明に係る情報処理方法は、上記第１４の発明において、前記取得日付情報は前記画像情報が撮影された年月日を示し、前記取得日付情報の年月日と現在の年月日との差分を前記差分情報として生成することを特徴とする。
【手続補正２０】
【補正対象書類名】明細書
【補正対象項目名】００２２
【補正方法】変更
【補正の内容】
【００２２】
第１６の発明に係る情報処理方法は、上記第１５の発明において、前記画像情報の取得日付と現在の日付との差が１年を超える場合には年を単位とする文字列を前記差分情報として生成し、前記差が１年以下で且つ１ヶ月以上の場合には月を単位とする前記文字列を生成し、前記差が１ヶ月未満の場合には日を単位とする前記文字列を生成することを特徴とする。
【手続補正２１】
【補正対象書類名】明細書
【補正対象項目名】００２３
【補正方法】変更
【補正の内容】
【００２３】
第１７の発明に係る情報処理方法は、予め取得された画像情報を再生処理する情報処理方法であって、第１の前記画像情報の取得日付と、前記第１の画像情報に引き続いて再生される第２の前記画像情報の取得日付との差分情報を生成する差分情報生成ステップと、前記第１の画像情報、第２の画像情報、及び前記差分情報を出力する出力ステップとを備え、前記出力ステップは、前記第１の画像情報の出力から第２の画像情報の出力への切り替わりに応じて、前記差分情報を出力することを特徴とする。
【手続補正２２】
【補正対象書類名】明細書
【補正対象項目名】００２４
【補正方法】変更
【補正の内容】
【００２４】
第１８の発明に係る情報処理方法は、上記第１７の発明において、前記差分情報生成ステップは、前記画像情報が撮影された年月日を示す前記取得日付情報に基づき、前記第１の画像情報の撮影年月日と前記第２の画像情報の撮影年月日との差分を求めることを特徴とする。
【手続補正２３】
【補正対象書類名】明細書
【補正対象項目名】００２５
【補正方法】変更
【補正の内容】
【００２５】
第１９の発明に係る情報処理方法は、上記第１８の発明において、前記差分情報生成ステップは前記差分情報を文字列として生成し、前記第１の画像情報の取得日付と前記第２の画像情報の取得日付との差が１年を超える場合には年を単位とする前記文字列を生成し、前記差が１年以下で且つ１ヶ月以上の場合には月を単位とする前記文字列を生成し、前記差が１ヶ月未満の場合には日を単位とする前記文字列を生成することを特徴とする。
【手続補正２４】
【補正対象書類名】明細書
【補正対象項目名】００２６
【補正方法】変更
【補正の内容】
【００２６】
第２０の発明に係るコンピュータ読み取り可能な記憶媒体は、第１の発明〜第１３の発明の何れかにおける情報処理装置の機能をコンピュータに実現させるためのプログラムを記録したことを特徴とする。
【手続補正２５】
【補正対象書類名】明細書
【補正対象項目名】００２７
【補正方法】変更
【補正の内容】
【００２７】
第２１の発明に係るコンピュータ読み取り可能な記憶媒体は、第１４の発明〜第１９の発明の何れかにおける情報処理方法をコンピュータに実現させるためのプログラムを記録したことを特徴とする。
【手続補正２６】
【補正対象書類名】明細書
【補正対象項目名】００２８
【補正方法】変更
【補正の内容】
【００２８】
第２２の発明に係る情報処理装置は、記録媒体から画像信号を再生する情報処理装置であって、前記画像信号の取得日付と所定の日付との差分を検出し、この差分の量を示す表示情報を生成する表示情報生成手段と、前記再生された画像信号と前記表示情報とを表示装置に出力する出力手段とを備え、前記表示情報生成手段は前記差分の量に応じて前記表示情報の表示単位を変更することを特徴とする。
【手続補正２７】
【補正対象書類名】明細書
【補正対象項目名】００２９
【補正方法】変更
【補正の内容】
【００２９】
第２３の発明に係る情報処理装置は、上記第２２の発明において、前記表示情報生成手段は、前記差分の量が所定量を超える場合に第１の表示単位とし、前記所定量以下の場合に第２の表示単位とすることを特徴とする。
【手続補正２８】
【補正対象書類名】明細書
【補正対象項目名】００３０
【補正方法】変更
【補正の内容】
【００３０】
第２４の発明に係る情報処理装置は、上記第２３の発明において、前記表示情報生成手段は、前記画像信号の取得日付と前記所定の日付との差が１年を超える場合には年を単位とし、前記差が１年以下で且つ１ヶ月以上の場合には月を単位とすることを特徴とする。
【手続補正２９】
【補正対象書類名】明細書
【補正対象項目名】００３１
【補正方法】変更
【補正の内容】
【００３１】
第２５の発明に係る情報処理装置は、上記第２２の発明において、前記所定の日付は現在の日付であることを特徴とする。
【手続補正３０】
【補正対象書類名】明細書
【補正対象項目名】００３２
【補正方法】変更
【補正の内容】
【００３２】
第２６の発明に係る情報処理装置は、上記第２２の発明において、前記所定の日付は、直前に再生された前記画像信号の取得日付であることを特徴とする。
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００９５
【補正方法】変更
【補正の内容】
【００９５】
【発明の効果】
以上説明したように本発明では、画像情報（撮影画像等）を再生処理する際、この画像情報の取得日付を示す取得日付情報と現在の日付を示す情報との差分情報（時刻差情報等）を生成し、画像情報に対して差分情報を付加して出力（表示出力等）するように構成した。これにより、再生対象の情報について、現在日付との時間関係（現在を基準に何時取得されたか等）を把握することができる。
【手続補正３６】
【補正対象書類名】明細書
【補正対象項目名】００９６
【補正方法】変更
【補正の内容】
【００９６】
また、第１の画像情報（第１の撮影画像等）の取得日付と第２の画像情報（第２の撮影画像等）の取得日付との差分情報（時刻差情報等）を生成し、第１の画像情報の出力から第２の画像情報の出力へ切り替わりに応じて、差分情報を第２の画像情報に対して付加して出力するように構成すれば、複数の情報を連続して再生する場合に、それぞれの情報の時間関係を把握することができる。